(57)【特許請求の範囲】
【請求項１】
脱桴装置（Ｄ）の下方に構成した穀粒落下通路を風選空間（Ａ）とし、該風選空間（Ａ）の下端に選別ファン（Ｆ）から選別風を送風し、落下してくる脱桴穀粒を風選する構成において、前記風選空間（Ａ）の下方には、精粒搬送コンベア（１）のみを配置し、更に選別ファン（Ｆ）を中央に配置して風選空間（Ａ）と逆の側に、籾殻を受ける籾殻コンベア（２）を配置し、該脱桴装置（Ｄ）から落下する混合粒を、精粒と籾殻の２種類に選別する二口選別とし、前記風選空間（Ａ）に供給する選別風の風速・風量を調整する選別風シャッター板（６）を、前記選別ファン（Ｆ）の吐出風を籾殻選別風風路（Ｇ）に戻す通路部分に設けたことを特徴とする穀粒の密閉式風力選別機構。
【請求項２】
請求項１記載の穀粒の密閉式風力選別機構において、前記風選空間（Ａ）と送風空間（Ｂ）とを隣接して配置し、該送風空間（Ｂ）の内部に選別ファン（Ｆ）を配置して、該選別ファン（Ｆ）が起風した選別風を送風空間（Ｂ）を介して、前記風選空間（Ａ）の下方に供給すべく構成し、該風選空間（Ａ）と送風空間（Ｂ）との間の遮蔽板（３）を垂直に構成し、該垂直な遮蔽板（３）に沿って、前記風選空間（Ａ）を配置して上下に一直線的な風選空間（Ａ）とし、該風選空間（Ａ）の下端に精粒搬送コンベア（１）を配置し、該精粒搬送コンベア（１）の下方を選別風が通過して、風選空間（Ａ）に向かって吹き上げるように構成したことを特徴とする穀粒の密閉式風力選別機構。
【請求項３】
請求項１記載の穀粒の密閉式風力選別機構において、前記風選空間（Ａ）に配置されて、脱桴混合米が落下衝突する風路遮蔽板（７・８・１０）を、断面視において、三角形状に構成したことを特徴とする穀粒の密閉式風力選別機構。
【請求項４】
請求項２記載の穀粒の密閉式風力選別機構において、
前記選別ファン（Ｆ）を左右のファン（Ｆ１・Ｆ２）により構成し、前記送風空間（Ｂ）の下部において、該選別ファン（Ｆ）からの選別風を当てる選別風向調整板（５）を配置したことを特徴とする穀粒の密閉式風力選別機構。
【発明の詳細な説明】
【０００１】
【発明の属する技術分野】
本発明は、籾を脱桴した後において、脱桴後の精粒と籾殻を分離する選別機構を、密閉式に構成した風力選別機構に関するものである。
【０００２】
【従来の技術】
穀粒の密閉式風力選別機構に関する技術は、従来から公知とされた技術である。例えば、特公昭３８−２１１８８号公報や、特公昭５２−５０１８７号公報に記載の技術の如くである。また、図２１において、該従来技術の詳細を開示した図面を提示している。
【０００３】
図２１において示す従来技術においては、籾ホッパー２３と、脱桴ロール２０・２１により構成した脱桴装置Ｄの下方に配置した穀粒の密閉式風力選別機構において、風選空間Ａ 'の下方には、従来技術において、精粒が落下する一番口２４と、軽量の粃等が吹上られた落下する二番口２５の、２口が配置されていたのである。そして、送風空間Ｂと選別ファンＦを隔てた左右逆の側の位置に、籾殻が吹き飛ばされて落下する三番口２６が配置されていたのである。
【０００４】
【発明が解決しようとする課題】
本発明が解決しようとする課題は、上記の従来技術においては、選別後の分離形態として、『精粒が落下する一番口２４』と、『軽量の粃等が吹上られた落下する二番口２５』と、『籾殻が吹き飛ばされて落下する三番口２６』の３口に分離されるべく構成されているのである。このような分離方法は、『軽量の粃等が吹上られた落下する二番口２５』に出てくる軽量米等を、家畜や家禽の餌として重要視していた時代の分離形態であり、近年においては、『軽量の粃等が吹上られた落下する二番口２５』の必要性が低下してきたのである。
【０００５】
このように、『精粒が落下する一番口２４』『軽量の粃等が吹上られた落下する二番口２５』の両方を設ける為には、両者の間での分離を可能とする選別風の流れに構成する必要があり、結果として、選別風を強くすることが出来ないので、選別容量が低下し、これが原因で脱桴装置Ｄの脱桴処理容量も小さくなり、短時間に大容量の脱桴・選別処理が出来ないという不具合があったのである。本発明においては、従来から『精粒が落下する一番口』と『軽量の粃等が吹上られた落下する二番口』に分離していたのを、『精粒搬送コンベア』と、『籾殻コンベア』の２口のみに分離すべく構成した穀粒の密閉式風力選別機構を提供するものである。
【０００６】
【課題を解決するための手段】
本発明が解決しようとする課題は以上の如くであり、次に該課題を解決するための手段を説明する。
【０００７】
請求項１においては、脱桴装置（Ｄ）の下方に構成した穀粒落下通路を風選空間（Ａ）とし、該風選空間（Ａ）の下端に選別ファン（Ｆ）から選別風を送風し、落下してくる脱桴穀粒を風選する構成において、前記風選空間（Ａ）の下方には、精粒搬送コンベア（１）のみを配置し、更に選別ファン（Ｆ）を中央に配置して風選空間（Ａ）と逆の側に、籾殻を受ける籾殻コンベア（２）を配置し、該脱桴装置（Ｄ）から落下する混合粒を、精粒と籾殻の２種類に選別する二口選別とし、前記風選空間（Ａ）に供給する選別風の風速・風量を調整する選別風シャッター板（６）を、前記選別ファン（Ｆ）の吐出風を籾殻選別風風路（Ｇ）に戻す通路部分に設けたものである。
【０００８】
請求項２においては、請求項１記載の穀粒の密閉式風力選別機構において、前記風選空間（Ａ）と送風空間（Ｂ）とを隣接して配置し、該送風空間（Ｂ）の内部に選別ファン（Ｆ）を配置して、該選別ファン（Ｆ）が起風した選別風を送風空間（Ｂ）を介して、前記風選空間（Ａ）の下方に供給すべく構成し、該風選空間（Ａ）と送風空間（Ｂ）との間の遮蔽板（３）を垂直に構成し、該垂直な遮蔽板（３）に沿って、前記風選空間（Ａ）を配置して上下に一直線的な風選空間（Ａ）とし、該風選空間（Ａ）の下端に精粒搬送コンベア（１）を配置し、該精粒搬送コンベア（１）の下方を選別風が通過して、風選空間（Ａ）に向かって吹き上げるように構成したものである。
【０００９】
請求項３においては、請求項１記載の穀粒の密閉式風力選別機構において、前記風選空間（Ａ）に配置されて、脱桴混合米が落下衝突する風路遮蔽板（７・８・１０）を、断面視において、三角形状に構成したものである。
【００１０】
請求項４においては、請求項２記載の穀粒の密閉式風力選別機構において、前記選別ファン（Ｆ）を左右のファン（Ｆ１・Ｆ２）により構成し、前記送風空間（Ｂ）の下部において、該選別ファン（Ｆ）からの選別風を当てる選別風向調整板（５）を配置したものである。
【００１１】
【発明の実施の形態】
次に本発明の実施の形態を説明する。
【００１２】
図１は、本発明の穀粒の密閉式風力選別機構に脱桴装置Ｄを付設した状態の全体正面図、図２は、本発明の穀粒の密閉式風力選別機構に脱桴装置Ｄを付設した状態の全体左側面図、図３は、本発明の穀粒の密閉式風力選別機構に脱桴装置Ｄを付設した状態の全体右側面図、図４は、穀粒の密閉式風力選別機構の部分の正面拡大図、図５は、穀粒の密閉式風力選別機構の部分の右側面断面図、図６は、穀粒の密閉式風力選別機構の選別風通路を示す断面図、図７は、密閉式風力選別機構のみの平面図、図８は、密閉式風力選別機構のみの正面図、図９は、密閉式風力選別機構のみの底面図、図１０は、密閉式風力選別機構のみの右側面図、図１１は、密閉式風力選別機構のみの左側面図、図１２は、密閉式風力選別機構のみの後面図、図１３は、選別ファンＦと送風空間Ｂと選別風シャッター板６の部分と逆流遮蔽板５４の部分の側面断面図、図１４は、同じく選別ファンＦと送風空間Ｂと選別風シャッター板６と逆流遮蔽板５４の部分の斜視図、図１５は、選別風シャッター板６を開いた状態の斜視図、図１６は、選別風シャッター板６を閉じた状態の斜視図、図１７は、密閉式風力選別機構において、風量・風速の測定点を図示した図、  図１８は、図１５の測定点における風速のデータを示す図、図１９は、本発明の穀粒の密閉式風力選別機構を組み込んだ穀物脱桴選別プラントのブロック図、図２０は、従来の穀粒の密閉式風力選別機構を組み込んだ穀物脱桴選別プラントのブロック図、図２１は、従来の穀粒の密閉式風力選別機構を示す正面断面図である。
【００１３】
図１９と図２０において、従来の穀物脱桴選別プラントにおける密閉式風力選別機構の役割と、本発明の穀物脱桴選別プラントにおける密閉式風力選別機構の役割を説明する。図２０において、従来の穀物脱桴選別プラントのフローチャートを説明する。従来は、まず乾燥原料籾投入エレベータ１９の下部のホッパー部分に乾燥原料籾が投入され、粗選機流量調整タンク２８に乾燥原料籾が投入される。該粗選機流量調整タンク２８が充填されて溢れる場合には、切換シャッター５０において原料籾の流路を切り換えて、再度乾燥原料籾投入エレベータ１９の下部のホッパーに戻すべく構成している。
【００１４】
前記粗選機流量調整タンク２８から粗選機１８に、乾燥原料籾が投入される。該粗選機１８において、藁屑や小石等の異物や夾雑物を分離して、異物投入部１２に異物や夾雑物は投入される。異物や夾雑物を取り除いた乾燥原料籾は、風選機エレベータ１７に投入されて揚穀され、風選機流量調整タンク２９に投入される。該風選機流量調整タンク２９から密閉式風力選別機構Ｋ 'のホッパー２３に投入される。従来の密閉式風力選別機構Ｋ 'は、図２１に示す如く、『精粒が落下する一番口２４』と、『軽量の粃等が吹上られた落下する二番口２５』と、『籾殻が吹き飛ばされて落下する三番口２６』の３口の出口を具備していたのである。
【００１５】
そして、精粒が落下する一番口２４から出た精粒は、次の穀粒選別機エレベータ１５に投入されて、穀粒選別機１４に供給される。該穀粒選別機１４において、精粒と、混合米と、未脱桴の籾とに分離されて、精粒は次工程エレベータ１３に供給されて、貯留タンクや、製品袋詰め工程等の次工程へ送られる。籾と精粒との混合米は、再度、穀粒選別機エレベータ１５のホッパーに投入されて、穀粒選別機１４に還流されて選別される。籾のみが分離された部分は、密閉式風力選別機構Ｋよりも前の風選機エレベータ１７に還流されて、脱桴装置Ｄの部分に再度還流されて籾摺りされるように構成されている。穀粒選別機１４において、十分に選別されずに、小米や粃等との混合米となっている部分は、再度穀粒選別機エレベータ１５のホッパーに供給されて、穀粒選別機１４に再投入される。
【００１６】
また、従来の３口の密閉式風力選別機構Ｋ 'において、軽量の粃等が吹上られた落下する二番口２５から出た軽量米や粃等は、そのまま粃・小米貯留部１０に投入されるか、また再度、風選機還流エレベータ１６により、密閉式風力選別機構Ｋ 'に戻されるかを、切換シャッター機構により切換操作される。また、籾殻が吹き飛ばされて落下する三番口２６からでた籾殻は、籾殻シャッター１１の部分で、排出風が、密閉式風力選別機構Ｋ 'の内部に侵入しないように、密閉式風力選別機構Ｋ 'の中の選別ファンＦからの選別風が、籾殻と共に外部に排出されないように、風シャッターを介して、籾殻のみが、排出風ファン２７からの風に乗せられて、穀物脱桴選別プラントの外部に排出される。
【００１７】
以上の如く、従来は、密閉式風力選別機構Ｋ 'からの出口が、『精粒が落下する一番口２４』と『軽量の粃等が吹上られた落下する二番口２５』と『籾殻が吹き飛ばされて落下する三番口２６』の３口があり、『粃や小米』の部分が選別分離されていたので、この密閉式風力選別機構Ｋによる分離を確実にする為に、選別風の風量を弱くする必要があって、風選空間Ａの部分での選別性能が低くなり、選別処理容量が低下する原因となっていたのである。しかし、近年は、密閉式風力選別機構における選別において、粃や小米に分離する必要が低くなったのである。本発明においては、図１９において図示する如く、密閉式風力選別機構Ｋからの出口を、『精粒が落下する精粒搬送コンベア１』と『籾殻が吹き飛ばされて落下する籾殻コンベア２』の二口としたものである。このように、密閉式風力選別機構Ｋにおける分離状態を、３種類の分離から、２種類の分離へと変更する為に、種々の改良点を、密閉式風力選別機構Ｋ 'に施す必要があったのである。
【００１８】
本発明においては、密閉式風力選別機構Ｋからの出口が、『精粒が落下する精粒搬送コンベア１』と『籾殻が吹き飛ばされて落下する籾殻コンベア２』の２口に構成されることとなったので、図１９において図示する如く、図２０において存在した粃・小米貯留部１０を無くすことができ、また風選機還流エレベータ１６を無くすことが出来たものである。最も大きな効果は、密閉式風力選別機構Ｋの処理能力を飛躍的に大能力に構成することが可能となったのものである。図２１においては、図２０において図示した従来の密閉式風力選別機構Ｋ 'の機構が図示されている。従来は、『精粒が落下する一番口２４』と『軽量の粃等が吹上られた落下する二番口２５』と『籾殻が吹き飛ばされて落下する三番口２６』の、３口への分離を行うべく構成していたのである。
【００１９】
故に、風選空間Ａ 'の部分の内部に、『精粒が落下する一番口２４』の為の風選路と一番口風量調節シャッター５１が、また、『軽量の粃等が吹上られた落下する二番口２５』と二番口風量調節シャッター５２が、配置されていたのである。即ち、風選空間Ａ 'の部分において、『精粒が落下する一番口２４』の為の風量調整を、一番口風量調節シャッター５１で行い、また『軽量の粃等が吹上られた落下する二番口２５』の為の風量を二番口風量調節シャッター５２に行う必要があったのである。故に、選別ファンＦの部分や、送風空間Ｂの部分には、風量調整シャッターは設けられていないのである。そして、前記の如く、従来は、一番口風量調節シャッター５１と二番口風量調節シャッター５２を別々に、開閉量をオペレータが調整する必要があったので、熟練したオペレータでなければ、『精粒が落下する一番口２４』と『軽量の粃等が吹上られた落下する二番口２５』へ選別具合を最良の状態に調整することが困難であったのである。
【００２０】
本発明においては、図６において図示する如く、風選空間Ａの部分の下方には、『精粒が落下する精粒搬送コンベア１』のみが配置されており、『精粒』と『『軽量の粃や小米』への分離を行わないので、該風選空間Ａの部分に、従来技術における一番口風量調節シャッター５１や二番口風量調節シャッター５２のようなものを配置する必要が無くなったのである。その代わり、『精粒が落下する精粒搬送コンベア１』と『籾殻が吹き飛ばされて落下する籾殻コンベア２』との間の、分離具合のみを調整する為の、選別風シャッター板６が、送風空間Ｂの上方の選別ファンＦの部分に配置されており、該選別風シャッター板６により、不要とされて排出される選別風は、送風空間Ｂから籾殻選別風風路Ｇに開放されるように構成しているのである。
【００２１】
図１と図２と図３において、本発明の密閉式風力選別機構Ｋの全体構成を説明する。本発明の密閉式風力選別機構Ｋは、下部の密閉ケースＲと、その上に配置した脱桴装置Ｄと、脱桴装置Ｄの上に載置したホッパー２３等により構成されている。また籾殻コンベア２が外部に突出した部分は籾殻シャッター１１が配置されている。該下部の密閉ケースＲの内部に本発明の要部である風選空間Ａや、送風空間Ｂや、選別ファンＦ等が収納配置されている。下部の密閉ケースＲの上で、脱桴装置Ｄの近傍に、該脱桴装置Ｄを駆動する為の脱桴装置駆動モータＭ１が配置されている。図４と図５においては、具体的な下部の密閉ケースＲの部分の構成が図示されている。該図面に示す如く、選別ファンＦと精粒搬送コンベア１と籾殻コンベア２を駆動する為の、風選駆動モータＭ２が別に下部の密閉ケースＲの内部の位置に配置されている。
【００２２】
図５は下部の密閉ケースＲの内部の選別ファンＦの部分における断面図を図示しており、選別ファンＦが左右のファンＦ１・Ｆ２により構成されている機構が図示されている。図７・図８・図９・図１０・図１１・図１２は、下部の密閉式風力選別機構Ｋを構成する下部の密閉ケースＲの部分の外形が、正確な六面図として図示されている。『精粒が落下する精粒搬送コンベア１』と『籾殻が吹き飛ばされて落下する籾殻コンベア２』との、側面視の位置関係も、正確な高さにおいて図示している。前記下部の密閉ケースＲの裏側の位置には、風選駆動モータＭ２から、精粒搬送コンベア１と籾殻コンベア２と選別ファンＦを駆動する為のＶベルトを収納するベルトカバー５５が付設された機構が図示されている。
【００２３】
図１３・図１４・図１５・図１６においては、下部の密閉ケースＲの内部に配置した選別ファンＦの構成が開示されている。該選別ファンＦは、下部の密閉ケースＲの前後の幅が広いので、１台のファンのみでは足りず、左右のファンＦ１・Ｆ２により構成している。該選別ファンＦは、唐箕ファンにより構成して、唐箕羽根３７は、羽根支持体４６が６本の支杆を具備した６枚ものを用いている。これにより、風量を増加しているのである。本発明の穀粒の密閉式風力選別機構における選別ファンＦの部分の特徴は、該選別ファンＦを構成する左右のファンＦ１・Ｆ２のファンケース４と４の間と両側に、選別風吸引口５６・５６・５６を３ヵ所に設け、該選別風吸引口５６の下側には、籾殻選別風風路Ｇへ選別風が戻らないように遮蔽する逆流遮蔽板５４・５４・５４を３枚配置している。
【００２４】
更に、該選別風吸引口５６の上側で、左右のファンＦ１・Ｆ２の側方の位置には、選別風シャッター板６・６・６の３枚を配置して連結され、３枚が一体的に回動調整可能に構成されている。また、選別風を構成するファンケース４・４の上方の間隙を防いで、送風空間Ｂから籾殻選別風風路Ｇへの戻り風の通過を防ぐ為に、選別風戻り防止板３５を立設している。前記選別風シャッター板６を上下に回動することにより、左右のファンＦ１・Ｆ２から下方へ吹き出される選別風が、送風空間Ｂから籾殻選別風風路Ｇに戻る量を調整して、風選空間Ａへの風量の調整を行うのである。従来の如く、図２１におけるように、一旦風選空間Ａ 'の方向に選別風を供給してから、一番口風量調節シャッター５１と二番口風量調節シャッター５２の部分で、選別風を分離して調整するという方式ではなくて、選別ファンＦから風選空間Ａへ送る選別風の量を、選別風シャッター板６により調整可能としたものである。
【００２５】
また図１３から図１６において、左右のファンＦ１・Ｆ２の間に開口した、３口の選別風吸引口５６の部分は、籾殻選別風風路Ｇの方向に開口しており，該選別風吸引口５６から吸引した籾殻選別風風路Ｇ内の空気を、左右のファンＦ１・Ｆ２に側方から取り込んで、左右のファンＦ１・Ｆ２の下方の排出口５８・５８から、下方に向けて選別風を吐出するのである。そして、該左右のファンＦ１・Ｆ２から吐出される選別風を一旦衝突させて、前後の幅において、平均した選別風とする為の、選別風向調整板５が左右のファンＦ１・Ｆ２の下方で底板よりも上方位置で、上部が風選空間Ａ側へ傾斜して設けられている。
【００２６】
次に図６において、風選空間Ａと送風空間Ｂの部分の全体的な構成について説明する。下部の密閉ケースＲの上に載置された脱桴装置Ｄの内部には、左右の脱桴ロール２０・２１が図２１において図示する如く配置されており、該脱桴ロール２０・２１において、籾を脱桴して、籾殻と穀粒が落下してくる。該脱桴後の穀粒と籾殻は、衝突板３０に衝突して、次に交互に配置された左側の３枚の流穀板３８・４０・４２と、右側の２枚の流穀板３９・４１の間をジグザグ状に落下してくる。左側の流穀板４２の下方に風選空間Ａが構成されている。該風選空間Ａには、穀粒落下通路の左側に、上から順に、水平方向に配置された水平状風路遮蔽板３４と、直角三角形状に構成して精粒搬送コンベア１側へ落下するように配置した左側三角流穀兼風路遮蔽板１０と、精粒搬送コンベア１へ導く最終流穀板３２の上方で外方向へ流れるように構成した外方向流穀板３１と、最終流穀板３２が配置されている。また、風選空間Ａの穀粒落下通路の右側には、上から順に、三角形状に構成して精粒搬送コンベア１側へ流れるようにした右側上部三角流穀兼風路遮蔽板８と、右側下部三角流穀兼風路遮蔽板７と前記最終流穀板３２と略平行で精粒搬送コンベア１側へ流れるようにした内方向流穀板４３が配置されている。該内方向流穀板４３は垂直遮蔽板３に上端を固定されている。
【００２７】
本発明において、選別ファンＦにおいて起風されて、送風空間Ｂの選別風向調整板５に衝突した後の選別風は、精粒搬送コンベア１を構成するコンベア樋１ａの下方と下部の密閉ケースＲの底板との間の風路を通過して、最終流穀板３２の下側の通路を経由し、風選空間Ａに入ってくる。そして、風選空間Ａの部分の最終流穀板３２の上側には、風向き調整板３３が配置されている。該風向き調整板３３と、前記した水平状風路遮蔽板３４により、選別風を、外方向流穀板３１の方向と左側三角流穀兼風路遮蔽板１０の方向とに分岐させるのである。更に、水平状風路遮蔽板３４と下部の密閉ケースＲの側壁との間の、選別風通路４４を、通過して、左側三角流穀兼風路遮蔽板１０と流穀板４２との間に流れる選別風も存在する。
【００２８】
穀粒落下通路の左側では、流穀板４２と左側三角流穀兼風路遮蔽板１０の間の選別風通路と、左側三角流穀兼風路遮蔽板１０と外方向流穀板３１の間の選別風通路の２方向に分けられて、選別風が流れる。穀粒落下通路の右側では、該２方向の選別風が、流穀板４２と右側上部三角流穀兼風路遮蔽板８の間の選別風通路と、右側上部三角流穀兼風路遮蔽板８と右側下部三角流穀兼風路遮蔽板７の間の選別風通路と、右側下部三角流穀兼風路遮蔽板７と内方向流穀板４３の間の選別風通路の３風路に分岐される。これらの通路内を流れる選別風により、籾殻は上方へ吹き飛ばされて、籾殻選別風風路Ｇに至るのである。
【００２９】
該籾殻選別風風路Ｇに至った選別風は、再度選別風の選別風吸引口５６に吸引されて選別風として、送風空間Ｂから風選空間Ａへと還流させられるのである。本発明においては、穀粒の密閉式風力選別機構において、風選空間Ａと送風空間Ｂとを隣接して配置し、該送風空間Ｂの内部に選別ファンＦを配置して、選別ファンＦが起風した選別風を送風空間Ｂを介して、風選空間Ａの下方に供給すべく構成し、該風選空間Ａと送風空間Ｂとの間の遮蔽板３を垂直に構成し、該垂直な遮蔽板３に沿って、前記風選空間Ａを配置して上下に一直線的な風選空間Ａとし、該風選空間Ａの下端に精粒搬送コンベア１を配置し、該精粒搬送コンベア１の下方を選別風が通過して、風選空間Ａに向かって吹き上げるように構成している。このように、選別風が真下から吹き上げる構成とすることにより、籾殻と精粒との分離を、最も効率良く、正確に行うことが出来るのである。
【００３０】
図１７において、風選空間Ａの各部における風速と、風量を図示している。各部の風速の、下部の密閉ケースＲの手前側から奥側に掛けての、選別風の測定値は、図１８に図示されている。前述の如く、選別ファンＦの下方で、送風空間Ｂの内部に選別風向調整板５を配置したことにより、下部の密閉ケースＲの手前から奥に掛けて、略均一な選別風が送られているのである。本発明においては、流穀板４２の下側の正面図に向かって左側に、水平状風路遮蔽板３４と、左側三角流穀兼風路遮蔽板１０と、外方向流穀板３１と最終流穀板３２を配置し、また向かって右側に右側上部三角流穀兼風路遮蔽板８と右側下部三角流穀兼風路遮蔽板７と内方向流穀板４３を配置し、左側の二つの選別風通路と、右側の三つの選別風通路を設けて、選別風を分散しながら、各選別風通路を通過する選別風の風量は、次の如く異なるが、風速は、それぞれ、測定点(7)(8)(9)(10)(14)(15) において、４〜７ｍ／ｓの速度に一定させたことにより、何段に渡って、脱桴粒の選別が行われるので、籾殻と精粒の選別を確実に行うことが可能となったのである。
【００３１】
風量は、次の「表１」のとおりである。「表１」は、本発明の穀粒の密閉式風力選別機構において、密閉ケース内部の各部分における風量を表形式で示した図である。
【００３２】
【表１】
0004727827.tif 000002
【００３３】
このように、各部分を通過する風量は異なるが、風速は図１８に示す如く、大きな相違部分が発生しないように構成しているのである。また、本発明においては、該風選空間Ａの内部に配置した流穀板４２や、左側三角流穀兼風路遮蔽板１０や水平状風路遮蔽板３４や右側上部三角流穀兼風路遮蔽板８や右側下部三角流穀兼風路遮蔽板７や内方向流穀板４３や最終流穀板３２などをすべて、ステンレス材等の耐摩耗材により構成している。これにより、穀粒に含まれた珪素によるこれらの板の摩耗を少なくしたものである。
【００３４】
【発明の効果】
本発明は以上の如く構成したので、次のような効果を奏するものである。
請求項１の如く、脱桴装置Ｄの下方に構成した穀粒落下通路に風選空間Ａとし、該風選空間Ａの下端に選別ファンＦから選別風を送風し、落下してくる脱桴穀粒を風選する構成において、前記風選空間Ａの下方には、精粒搬送コンベア１のみを配置し、更に選別ファンＦを中央に配置して風選空間Ａと逆の側に、籾殻を受ける籾殻コンベア２を配置し、脱桴装置Ｄから落下する混合粒を、精粒と籾殻の２種類に選別する二口選別としたので、従来の如く、『精粒が落下する一番口』と『『軽量の粃等が吹上られた落下する二番口』と『籾殻が吹き飛ばされて落下する三番口』の如く、３口に分離する場合に比較して、大風量で大風速の選別風により、強力に選別することが出来るので、選別能力を飛躍的に増大させることが出来たものである。
【００３５】
また、前記風選空間（Ａ）に供給する選別風の風速・風量を調整する選別風シャッター板（６）を、前記選別ファン（Ｆ）の吐出風を籾殻選別風風路（Ｇ）に戻す通路部分に設けたので、従来の如く、一番口風量調節シャッター５１と二番口風量調節シャッター５２の如く、風選空間Ａ 'に入る選別風の割合を変更するのではなくて、送風空間Ｂから風選空間Ａに至る風の量を一義的に調整するととなるので、風量調節が正確にできることから、習熟したオペレータでなくても、調整が容易に行えるようになったものである。
また、従来のように、送風空間Ｂの内部で、風向を調節することにより、選別風の風力を調節するのではなくて、送風空間Ｂから籾殻選別風風路Ｇに逃げる風量を調節することにより、選別風の風量を調節することが出来るので、選別性能の向上を図ることが出来たものである。
これによっても、選別精度の向上を図ることが出来たのである。
【００３６】
請求項２の如く、請求項１記載の穀粒の密閉式風力選別機構において、前記風選空間（Ａ）と送風空間（Ｂ）とを隣接して配置し、該送風空間（Ｂ）の内部に選別ファン（Ｆ）を配置して、該選別ファン（Ｆ）が起風した選別風を送風空間（Ｂ）を介して、前記風選空間（Ａ）の下方に供給すべく構成し、該風選空間（Ａ）と送風空間（Ｂ）との間の遮蔽板（３）を垂直に構成し、該垂直な遮蔽板（３）に沿って、前記風選空間（Ａ）を配置して上下に一直線的な風選空間（Ａ）とし、該風選空間（Ａ）の下端に精粒搬送コンベア（１）を配置し、該精粒搬送コンベア（１）の下方を選別風が通過して、風選空間（Ａ）に向かって吹き上げるように構成したので、垂直に吹き上げる選別風により、穀粒落下通路を落下してくる穀粒と籾殻を選別することが出来、選別精度を向上させて、選別能力を向上させることが出来たものである。
【００３７】
請求項３の如く、請求項１記載の穀粒の密閉式風力選別機構において、前記風選空間（Ａ）に配置されて、脱桴混合米が落下衝突する風路遮蔽板（７・８・１０）を、断面視において、三角形状に構成したので、該選別風ガイド板と流穀板とを三角形の２面で兼用することが出来るのである。故に、該左側三角流穀兼風路遮蔽板１０や右側上部三角流穀兼風路遮蔽板８や右側下部三角流穀兼風路遮蔽板７によって、機体の強度を増す補強板の役目と、流穀板の役目と、選別風ガイド板の役目の三つを兼用することが出来たものである。
【００３８】
請求項４の如く、請求項２記載の穀粒の密閉式風力選別機構において、前記選別ファン（Ｆ）を左右のファン（Ｆ１・Ｆ２）により構成し、前記送風空間（Ｂ）の下部において、該選別ファン（Ｆ）からの選別風を当てる選別風向調整板（５）を配置したので、左右のファンＦ１・Ｆ２による発生した選別風を、下部の密閉ケースＲの幅一杯に拡散して、均一した選別風とすることが可能となったのである。これによっても、選別精度の向上と、選別能力の向上を図ることが出来たものである。
【図面の簡単な説明】
【図１】  本発明の穀粒の密閉式風力選別機構に脱桴装置Ｄを付設した状態の全体正面図。
【図２】  本発明の穀粒の密閉式風力選別機構に脱桴装置Ｄを付設した状態の全体左側面図。
【図３】  本発明の穀粒の密閉式風力選別機構に脱桴装置Ｄを付設した状態の全体右側面図。
【図４】  穀粒の密閉式風力選別機構の部分の正面拡大図。
【図５】  穀粒の密閉式風力選別機構の部分の右側面断面図。
【図６】  穀粒の密閉式風力選別機構の選別風通路を示す断面図。
【図７】  密閉式風力選別機構のみの平面図。
【図８】  密閉式風力選別機構のみの正面図。
【図９】  密閉式風力選別機構のみの底面図。
【図１０】  密閉式風力選別機構のみの右側面図。
【図１１】  密閉式風力選別機構のみの左側面図。
【図１２】  密閉式風力選別機構のみの後面図。
【図１３】  選別ファンＦと送風空間Ｂと選別風シャッター板６の部分と逆流遮蔽板５４の部分の側面断面図。
【図１４】  同じく選別ファンＦと送風空間Ｂと選別風シャッター板６と逆流遮蔽板５４の部分の斜視図。
【図１５】  選別風シャッター板６を開いた状態の斜視図。
【図１６】  選別風シャッター板６を閉じた状態の斜視図。
【図１７】  密閉式風力選別機構において、風量・風速の測定点を図示した図。
【図１８】  図１５の測定点における風速のデータを示す図。
【図１９】  本発明の穀粒の密閉式風力選別機構を組み込んだ穀物脱桴選別プラントのブロック図。
【図２０】  従来の穀粒の密閉式風力選別機構を組み込んだ穀物脱桴選別プラントのブロック図。
【図２１】  従来の穀粒の密閉式風力選別機構を示す正面断面図。
【符号の説明】
Ａ  風選空間
Ｂ  送風空間
Ｄ  脱桴装置
Ｆ  選別ファン
Ｋ  密閉式風力選別機構
Ｇ  籾殻選別風風路
Ｒ  下部の密閉ケース
１  精粒搬送コンベア
２  籾殻コンベア
３  垂直遮蔽板
４  ファンケース
５  選別風向調整板
６  選別風シャッター板
７  右側下部三角流穀兼風路遮蔽板
８  右側上部三角流穀兼風路遮蔽板
１０  左側三角流穀兼風路遮蔽板
【図１】
0004727827.tif 000003
【図２】
0004727827.tif 000004
【図３】
0004727827.tif 000005
【図４】
0004727827.tif 000006
【図５】
0004727827.tif 000007
【図６】
0004727827.tif 000008
【図７】
0004727827.tif 000009
【図８】
0004727827.tif 000010
【図９】
0004727827.tif 000011
【図１０】
0004727827.tif 000012
【図１１】
0004727827.tif 000013
【図１２】
0004727827.tif 000014
【図１３】
0004727827.tif 000015
【図１４】
0004727827.tif 000016
【図１５】
0004727827.tif 000017
【図１６】
0004727827.tif 000018
【図１７】
0004727827.tif 000019
【図１８】
0004727827.tif 000020
【図１９】
0004727827.tif 000021
【図２０】
0004727827.tif 000022
【図２１】
0004727827.tif 000023